(57)【特許請求の範囲】
【請求項１】
自動車のインストルメントパネルに凹設された収納室と、該収納室を開閉自在に被覆するリッドとを備え、該リッドの前方側端部の裏面に前方へ向けて張り出し且つその先端を上向きに屈曲した掛止爪を形成し、該掛止爪の先端を前記収納室の前面部上側に形成した開口部を通しインストルメントパネル内部に差し入れて後方へ変位しないようストッパに掛止せしめた収納ボックスにおいて、前記収納室の前面部における開口部の車幅方向縁部に隣接して配置され且つその上端に前記リッドの前方側端部を載置して適切な高さに支持し得るよう受け座を有するガイドリブを設けたことを特徴とする収納ボックス。
【発明の詳細な説明】
【０００１】
【発明の属する技術分野】
本発明は、バス等のインストルメントパネルに装備される収納ボックスに関するものである。
【０００２】
【従来の技術】
図４に示す如く、比較的大型のバスのインストルメントパネル１においては、車幅方向における運転席２の反対側（日本国内用車両では進行方向左側）に物品を収容し得るよう収納ボックスが構成されていることが多く、特に図示する如き大型バスの場合には、車幅方向外側にオイルリザーブタンク等を収容させる為の小型の収納ボックス３が設けられ、その内側にはビデオデッキ等の比較的大型の物品を収容させる為の大型の収納ボックス４が設けられている。
【０００３】
そして、オイルリザーブタンク等を収容する小型の収納ボックス３は、図５及び図６に示すように、インストルメントパネル１に適当な容積で凹設された収納室５と、該収納室５を開閉自在に被覆するリッド６とにより構成されているが、この種の収納ボックス３の場合には、オイル点検時等にのみリッド６を開けることができれば良く、格別に質感の良い操作性を要求されない為、リッド６の前方側端部７の裏面に前方へ向けて張り出し且つその先端を上向きに屈曲した掛止爪８を形成し、該掛止爪８の先端を前記収納室５の前面部９上側に形成した開口部１０を通しインストルメントパネル１内部に差し入れ、該インストルメントパネル１内部の上側に配設したストッパ１１に対し後方へ変位しないよう掛止せしめて簡易に組付けるようにしてある。
【０００４】
前記リッド６を具体的に組付けるに当たっては、図６に二点鎖線で示すように、リッド６の後方側端部１２側を持ち上げて掛止爪８の上向きに屈曲した先端を前方へ倒し加減にし、斯かる状態で掛止爪８をストッパ１１に干渉しないように開口部１０に差し入れつつリッド６の後方側端部１２側を下ろして前記掛止爪８の先端をストッパ１１に対し下方から掛止させるようにすれば良く、後方側端部１２を下ろされて閉じた状態となったリッド６は、その裏面の車幅方向両側を収納室５の左右の側面部１３（図５参照）上に載置される。
【０００５】
このようにしてリッド６を組付ければ、該リッド６を閉じた状態で掛止爪８がストッパ１１に掛止されてリッド６が外れないよう確実に保持されることになり、また、必要時にはリッド６の後方側端部１２を持ち上げることで簡単にリッド６を開くことが可能となる。
【０００６】
ただし、前記リッド６の掛止爪８をストッパ１１に掛止して後方へ変位しないようにしただけでは、リッド６の前方側端部７と収納室５の前面部９上端との間の隙間を一定に保持することができず、該隙間が一定に保持されないことにより美観が損なわれる虞れがあるので、掛止爪８の下面における基端側にブラケット１４を形成し、該ブラケット１４により収納室５の前面部９に対し前方へ変位しないよう当接する当て面１５を形成するようにしていた。
【０００７】
尚、図中１４は掛止爪８の下面における基端側に形成されて収納室５の前面部９に対し前方へ変位しないよう当接する当て面１５を備えたブラケット、１６はリッド６の裏面に形成されて前後方向に延びる複数条の補強リブを示す。
【０００８】
【発明が解決しようとする課題】
しかしながら、前述した如き従来構造においては、リッド６の組付け時に該リッド６の後方側端部１２を持ち上げながら掛止爪８を収納室５の開口部１０に位置合わせして差し入れなければならないが、収納室５側に対し車幅方向にも高さ方向にも位置決めされていないフリー状態のリッド６を、その後方側端部１２を持ち上げながらリッド６の姿勢に注意を払いつつ保持して掛止爪８と開口部１０とを位置合わせする作業は容易ではなく、その組付け作業に手間がかかるという不具合があった。
【０００９】
また、組付け終えたリッド６は、その裏面の車幅方向両側を収納室５の左右の側面部１３上に載置することだけで高さ方向の保持を行うようにしていた為、リッド６の前方側端部７を直接的に支持するようにはなっておらず、リッド６の前方側端部７が収納室５の前面部９上端に対し沈降して両者の意匠面にずれが生じ、美観を著しく損なう虞れもあった。
【００１０】
本発明は上述の実情に鑑みてなしたもので、リッドの組付け時に掛止爪を収納室の開口部に容易に位置合わせし得るようにすると共に、リッドの前方側端部と収納室の前面部上端との意匠面を確実に合わせて美観を良好に保持し得るようにすることを目的としている。
【００１１】
【課題を解決するための手段】
本発明は、自動車のインストルメントパネルに凹設された収納室と、該収納室を開閉自在に被覆するリッドとを備え、該リッドの前方側端部の裏面に前方へ向けて張り出し且つその先端を上向きに屈曲した掛止爪を形成し、該掛止爪の先端を前記収納室の前面部上側に形成した開口部を通しインストルメントパネル内部に差し入れて後方へ変位しないようストッパに掛止せしめた収納ボックスにおいて、前記収納室の前面部における開口部の車幅方向縁部に隣接して配置され且つその上端に前記リッドの前方側端部を載置して適切な高さに支持し得るよう受け座を有するガイドリブを設けたことを特徴とするものである。
【００１２】
従って本発明では、リッドを組付ける際において、該リッドの前方側端部をガイドリブ上端の受け座に載置し且つ掛止爪の側面をガイドリブの側面に当接せしめると、リッドの前方側端部が適切な高さに位置決めされると共に、掛止爪が車幅方向における開口部に対応した位置に位置決めされることになり、前記ガイドリブ上端の受け座に載置されたリッドの前方側端部を中心として該リッドの後方側端部を持ち上げた状態から下ろす回動操作を行うだけで、容易に掛止爪が収納室の開口部に差し入れられてインストルメントパネル内部のストッパに掛止される。
【００１３】
また、このようにして組付けられたリッドは、その前方側端部をガイドリブ上端の受け座により直接的に支持されるので、前記リッドの前方側端部が収納室の前面部上端に対し沈降して両者の意匠面にずれが生じるような不具合が確実に回避され、美観が良好に保持されることになる。
【００１４】
【発明の実施の形態】
以下本発明の実施の形態を図面を参照しつつ説明する。
【００１５】
図１〜図３は本発明を実施する形態の一例を示すもので、図４〜図６と同一の符号を付した部分は同一物を表わしている。
【００１６】
図１〜図３に示す本形態例の収納ボックス３においては、その基本的な構造を前述した図４〜図６の収納ボックス３と略同様に構成しているが、収納室５の前面部９における開口部１０の車幅方向縁部に隣接して配置され且つその上端にリッド６の前方側端部７を載置して適切な高さに支持し得るよう受け座１７を有するガイドリブ１８を設けた点を特徴としている。
【００１７】
ここで、前記ガイドリブ１８上端の受け座１７は、リッド６の前方側端部７を載置した際に、該リッド６の表面（意匠面）の高さが収納室５の前面部９上端の高さと等しくなるような高さに設定してあり、また、前記リッド６の前方側端部７は、ガイドリブ１８上端の受け座１７に載置した状態でリッド６の後方側端部１２をスムーズに上げ下げし得るよう円弧型の断面形状に仕上げてある。
【００１８】
而して、リッド６を組付ける際において、該リッド６の前方側端部７をガイドリブ１８上端の受け座１７に載置し且つ掛止爪８の側面をガイドリブ１８の側面に当接せしめると、リッド６の前方側端部７が適切な高さに位置決めされると共に、掛止爪８が車幅方向における開口部１０に対応した位置に位置決めされることになり、前記ガイドリブ１８上端の受け座１７に載置されたリッド６の前方側端部７を中心として該リッド６の後方側端部１２を持ち上げた状態から下ろす回動操作を行うだけで、容易に掛止爪８が収納室５の開口部１０に差し入れられてインストルメントパネル１内部のストッパ１１に掛止される。
【００１９】
また、このようにして組付けられたリッド６は、その前方側端部７をガイドリブ１８上端の受け座１７により直接的に支持されるので、前記リッド６の前方側端部７が収納室５の前面部９上端に対し沈降して両者の意匠面にずれが生じるような不具合が確実に回避され、美観が良好に保持されることになる。
【００２０】
従って上記形態例によれば、リッド６の組付け時に掛止爪８を収納室５の開口部１０に容易に位置合わせすることができるので、その組付け作業に要する手間を省いて作業性を大幅に向上することができ、しかも、リッド６の前方側端部７と収納室５の前面部９上端との意匠面を確実に合わせることができるので、美観を良好に保持することもできる。
【００２１】
尚、本発明の収納ボックスは、上述の形態例にのみ限定されるものではなく、収納ボックスはオイルリザーブタンクを収容するものに限定されないこと、また、適用対象とする自動車もバスに限定されないこと、その他、本発明の要旨を逸脱しない範囲内において種々変更を加え得ることは勿論である。
【００２２】
【発明の効果】
上記した本発明の収納ボックスによれば、下記の如き種々の優れた効果を奏し得る。
【００２３】
（Ｉ）リッドを組付け時に、該リッドの前方側端部をガイドリブ上端の受け座に載置し且つ掛止爪の側面をガイドリブの側面に当接せしめることによって、掛止爪を収納室の開口部に容易に位置合わせすることができるので、その組付け作業に要する手間を省いて作業性を大幅に向上することができる。
【００２４】
（ＩＩ）リッドの前方側端部をガイドリブ上端の受け座により直接的に支持することができ、リッドの前方側端部と収納室の前面部上端との意匠面を確実に合わせることができるので、美観を良好に保持することができる。
【図面の簡単な説明】
【図１】本発明を実施する形態の一例を示す断面図である。
【図２】図１のリッドの組付け時の状態を示す断面図である。
【図３】図１及び図２の収納ボックスの詳細を示す分解斜視図である。
【図４】大型バスのインストルメントの一例を示す斜視図である。
【図５】図４の車幅方向外側の収納ボックスの詳細を示す分解斜視図である。
【図６】図５の収納ボックスのリッドの組付け構造の詳細を示す断面図である。
【符号の説明】
１          インストルメントパネル
３          収納ボックス
５          収納室
６          リッド
７          前方側端部
８          掛止爪
９          前面部
１０          開口部
１１          ストッパ
１６          補強リブ
１７          受け座
１８          ガイドリブ
【図１】
0003703628.tif 000002
【図２】
0003703628.tif 000003
【図３】
0003703628.tif 000004
【図４】
0003703628.tif 000005
【図５】
0003703628.tif 000006
【図６】
0003703628.tif 000007